(57)【要約】【課題】空調導風板の制御方法【解決手段】空調導風板の制御方法であって、前記導風板は空気の排出される方向を調節するために空調エア吹き出し口部分に設置され、前記制御方法は、冷却モードの稼働中に、エアスイング動作指令を入力するか否かを判断し、エアスイング動作指令が未入力である場合に、設定された送風量レベル、設定された温度Ｔ１及び室内環境温度Ｔ２が得られ、設定された送風量レベル、設定された温度Ｔ１及び室内環境温度Ｔ２に基づきユーザーの冷却ニーズの大小を判断し、並びに前記ユーザーの冷却ニーズの大小に基づき前記導風板の導風角度を制御することを含む。前記制御方法は設定された送風量レベル、設定された温度及び室内環境温度の三つの条件に基づきユーザーのニーズをより正確に判断し、かつユーザーのニーズに基づきエア吹き出し方向を制御し、より人間本位の、より快適な送風制御を実現する。
2016521839.tif 000002
【特許請求の範囲】
【請求項１】
空気の排出される方向を調節するために空調エア吹き出し口部分に設置される空調導風板の制御方法であって、
冷却モードの稼働中に、エアスイング動作指令を入力するか否かを判断し、
エアスイング動作指令が未入力である場合に、設定された送風量レベル、設定された温度Ｔ１、及び、室内環境温度Ｔ２が得られ、
設定された送風量レベル、設定された温度Ｔ１、及び、室内環境温度Ｔ２に基づきユーザーの冷却ニーズの大小を判断するとともに、
前記ユーザーの冷却ニーズの大小に基づき前記空調導風板の導風角度を制御することを含む、
ことを特徴とする空調導風板の制御方法。
【請求項２】
ユーザーの冷却ニーズの判断は、
設定された送風量レベルが中送風量レベル以上の送風量レベルか否かを判断するステップと、
Ｔ１がＴ２＋ｔ以上か否かを判断するステップであって、ｌ℃≦ｔ≦３℃であるステップと、  設定された送風量レベルが中送風量レベルを上回る送風量レベルであり、かつＴ１がＴ２＋ｔ以上である場合に、ユーザーの冷却ニーズが大きいと判断し、そうでなければ、ユーザーの冷却ニーズが小さいと判断するステップと、を含む、
ことを特徴とする請求項１に記載の空調導風板の制御方法。
【請求項３】
前記空調の室内ファンは、超強力送風量レベル、高送風量レベル、中送風量レベル及び低送風量レベルを具備することとし、
ユーザーの冷却ニーズの判断は、
ａ，設定された送風量レベルが超強力送風量レベルか否かを判断するステップと、ｂ，設定された送風量レベルが超強力送風量レベルである場合は、Ｔ１がＴ２＋ｔ以上か否かを判断し、そうであれば、ユーザーの冷却ニーズが大きいと判断し、そうでなければユーザーの冷却ニーズが小さいと判断し、設定された送風量レベルが超強力送風量レベルでない場合は、ステップｃに進むステップと、ｃ，設定された送風量レベルが高送風量レベルか否かを判断するステップと、
ｄ，設定された送風量レベルが高送風量レベルである場合は、Ｔ１がＴ２＋ｔ以上か否かを判断し、そうであれば、ユーザーの冷却ニーズが大きいと判断し、そうでなければユーザーの冷却ニーズが小さいと判断し、設定された送風量レベルが高送風量レベルでない場合は、ユーザーの冷却ニーズが小さいと判断するステップと、を含む、
ことを特徴とする請求項２に記載の空調導風板の制御方法。
【請求項４】
前記ユーザーの冷却ニーズの大小に基づく前記空調導風板の導風角度の制御は、
設定された送風量レベルが超強力送風量レベルであり、かつＴ１がＴ２＋ｔ以上であって、ユーザーの冷却ニーズが大きいと判断する場合は、前記空調導風板の導風角度がａ０となるようにするステップと、
設定された送風量レベルが超強力送風量レベルであり、かつＴ１がＴ２＋ｔ未満であって、ユーザーの冷却ニーズが小さいと判断する場合は、前記空調導風板の導風角度がａｌとなるようにするステップと、
設定された送風量レベルが高送風量レベルであり、かつＴ１がＴ２＋ｔ以上であって、ユーザーの冷却ニーズが大きいと判断する場合は、前記空調導風板の導風角度がａ２となるようにするステップと、
設定された送風量レベルが高送風量レベルであり、かつＴｌがＴ２＋ｔ未満であって、ユーザーの冷却ニーズが小さいと判断する場合は、前記空調導風板の導風角度がａ３となるようにするステップと、
設定された送風量レベルが超強力送風量レベル及び高送風量レベルではなく、ユーザーの冷却ニーズが小さいと判断する場合は、前記空調導風板の導風角度がａ４となるようにするステップと、を含み、
ａ０＝ａ２＞ａｌ＞ａ３＞ａ４である、
ことを特徴とする請求項３に記載の空調導風板の制御方法。
【請求項５】
ａ０＝ａ２＝９０°である、
ことを特徴とする請求項４に記載の空調導風板の制御方法。
【請求項６】
２０°≦ａｌ＜９０°である、
ことを特徴とする請求項４に記載の空調導風板の制御方法。
【請求項７】
２５°≦ａ３＜９０°である、
ことを特徴とする請求項４に記載の空調導風板の制御方法。
【請求項８】
３０°≦ａ４＜９０°である、
ことを特徴とする請求項４に記載の空調導風板の制御方法。
【請求項９】
前記空調導風板は前記エア吹き出し口の方向に沿って伸縮運動するものであり、
前記制御方法は更に、
前記空調導風板の導風角度を検出するステップと、
検出された導風角度ａと設定された導風角度ａ’を比較するステップと、
ａ≧ａ’である場合は、前記空調導風板の初期位置から外に向かって伸長させるストロークがＸ１となるようにするステップと、
ａ＜ａ’である場合は、前記空調導風板の初期位置から外に向かって伸長させるストロークがＸ２となるようにするステップと、を含み、
Ｘ１＜Ｘ２である、
ことを特徴とする請求項１乃至請求項８のいずれか一項に記載の空調導風板の制御方法。
【請求項１０】
４０°≦ａ’≦５０°である、
ことを特徴とする請求項９に記載の空調導風板の制御方法。
【請求項１１】
０ｍｍ≦Ｘｌ≦２０ｍｍである、
ことを特徴とする請求項９に記載の空調導風板の制御方法。
【請求項１２】
２０ｍｍ＜Ｘ２≦４０ｍｍである、
ことを特徴とする請求項９に記載の空調導風板の制御方法。
【請求項１３】
前記空調がエアダクト式空調であって、前記エア吹き出し口が下を向いている、
ことを特徴とする請求項１に記載の空調導風板の制御方法。
【発明の詳細な説明】
【技術分野】
【０００１】
本発明は空調、特に空調導風板の制御方法に関するものである。
【背景技術】
【０００２】
図１に示す通り、既存のエアダクト式空調の室内機１００は、室内機本体１１０と、室内機本体エア吹き出し口部位に設置されるエア吹き出し口部品１２０と、を含み、更にエア吹き出し口部品１２０は、エア吹き出し枠１２１、空調のエア吹き出し方向のガイドとして用いる導風板１２２、及び、導風板を駆動して回転させるために用いる導風板駆動装置（図には未表示）を含む。既存の導風板の制御方法は、空調の稼働時に、制御装置がユーザーが入力した送風量レベル、温度等に基づき導風板の導風角度を確定し、その後、導風板駆動装置に向けて制御信号を発信し、導風板駆動装置が必要な導風角度になるよう導風板を回転させる。このような制御方法には、空調の稼働中において、ユーザーが導風板の導風角度を調節しなければ、導風板は常に既定の角度を維持し、環境に応じて自動的に調節されず、これによって快適性に劣ると言った問題が存在する。
【発明の概要】
【発明が解決しようとする課題】
【０００３】
上述の既存技術の現状に対し、本発明は、ユーザーのニーズに応じて導風板の導風角度を自動制御し、空調の快適性を向上させ得る空調導風板の制御方法を提供し、技術的な問題を解決することを目的とする。
【０００４】
本発明が提供する空調導風板の制御方法は、
空調導風板が空気の排出される方向を調節するために空調エア吹き出し口部分に設置されるものであり、
冷却モードの稼働中に、エアスイング動作指令を入力するか否かを判断し、
エアスイング動作指令が未入力である場合に、設定された送風量レベル、設定された温度Ｔ１、及び、室内環境温度Ｔ２が得られ、
設定された送風量レベル、設定された温度Ｔ１、及び、室内環境温度Ｔ２に基づきユーザーの冷却ニーズの大小を判断するとともに、
前記ユーザーの冷却ニーズの大小に基づき前記空調導風板の導風角度を制御することを含む。
【０００５】
実施形態の一つでは、ユーザーの冷却ニーズの判断は、
設定された送風量レベルが中送風量レベル以上の送風量レベルか否かを判断するステップと、
Ｔ１がＴ２＋ｔ以上か否かを判断するステップであって、ｌ℃≦ｔ≦３℃であるステップと、  設定された送風量レベルが中送風量レベルを上回る送風量レベルであり、かつＴ１がＴ２＋ｔ以上である場合に、ユーザーの冷却ニーズが大きいと判断し、そうでなければ、ユーザーの冷却ニーズが小さいと判断するステップと、を含む。
【０００６】
実施形態の一つでは、前記空調の室内ファンは、超強力送風量レベル、高送風量レベル、中送風量レベル及び低送風量レベルを具備することとし、
ユーザーの冷却ニーズの判断は、
ａ，設定された送風量レベルが超強力送風量レベルか否かを判断するステップと、ｂ，設定された送風量レベルが超強力送風量レベルである場合は、Ｔ１がＴ２＋ｔ以上か否かを判断し、そうであれば、ユーザーの冷却ニーズが大きいと判断し、そうでなければユーザーの冷却ニーズが小さいと判断し、設定された送風量レベルが超強力送風量レベルでない場合は、ステップｃに進むステップと、ｃ，設定された送風量レベルが高送風量レベルか否かを判断するステップと、
ｄ，設定された送風量レベルが高送風量レベルである場合は、Ｔ１がＴ２＋ｔ以上か否かを判断し、そうであれば、ユーザーの冷却ニーズが大きいと判断し、そうでなければユーザーの冷却ニーズが小さいと判断し、設定された送風量レベルが高送風量レベルでない場合は、ユーザーの冷却ニーズが小さいと判断するステップと、を含む。
【０００７】
実施形態の一つでは、前記ユーザーの冷却ニーズの大小に基づく前記空調導風板の導風角度の制御は、
設定された送風量レベルが超強力送風量レベルであり、かつＴ１がＴ２＋ｔ以上であって、ユーザーの冷却ニーズが大きいと判断する場合は、前記空調導風板の導風角度がａ０となるようにするステップと、
設定された送風量レベルが超強力送風量レベルであり、かつＴ１がＴ２＋ｔ未満であって、ユーザーの冷却ニーズが小さいと判断する場合は、前記空調導風板の導風角度がａｌとなるようにするステップと、
設定された送風量レベルが高送風量レベルであり、かつＴ１がＴ２＋ｔ以上であって、ユーザーの冷却ニーズが大きいと判断する場合は、前記空調導風板の導風角度がａ２となるようにするステップと、
設定された送風量レベルが高送風量レベルであり、かつＴｌがＴ２＋ｔ未満であって、ユーザーの冷却ニーズが小さいと判断する場合は、前記空調導風板の導風角度がａ３となるようにするステップと、
設定された送風量レベルが超強力送風量レベル及び高送風量レベルではなく、ユーザーの冷却ニーズが小さいと判断する場合は、前記空調導風板の導風角度がａ４となるようにするステップと、を含み、
ａ０＝ａ２＞ａｌ＞ａ３＞ａ４である。。
【０００８】
実施形態の一つでは、ａ０＝ａ２＝９０°である。
【０００９】
実施形態の一つでは、２０°≦ａｌ＜９０°である。
【００１０】
実施形態の一つでは、２５°≦ａ３＜９０°である。
【００１１】
実施形態の一つでは、３０°≦ａ４＜９０°である。
【００１２】
前記空調導風板は前記エア吹き出し口の方向に沿って伸縮運動するものであり、
前記制御方法は更に、
前記空調導風板の導風角度を検出するステップと、
検出された導風角度ａと設定された導風角度ａ’を比較するステップと、
ａ≧ａ’である場合は、前記空調導風板の初期位置から外に向かって伸長させるストロークがＸ１となるようにするステップと、
ａ＜ａ’である場合は、前記空調導風板の初期位置から外に向かって伸長させるストロークがＸ２となるようにするステップと、を含み、
Ｘ１＜Ｘ２である。。
【００１３】
実施形態の一つでは、４０°≦ａ’≦５０°である。
【００１４】
実施形態の一つでは、０ｍｍ≦Ｘｌ≦２０ｍｍである。
【００１５】
実施形態の一つでは、２０ｍｍ＜Ｘ２≦４０ｍｍである。
【００１６】
実施形態の一つでは、前記空調はエアダクト式空調であって、前記エア吹き出し口が下を向いている。
既存の技術に比べ、本発明が提供する空調導風板の制御方法は、設定された送風量レベル、設定された温度及び室内環境温度の三つの条件に基づき、ユーザーのニーズをより正確に判断し、かつユーザーのニーズに基づきエア吹き出し方向を制御し、より人間本位の、より快適な送風制御を実現する。
【００１７】
また、本発明の制御方法は更に導風角度に基づき導風板の伸長ストロークを制御し、エア吹き出しをよりスムーズにし、かつ冷気流の天井板への付着、天井の冷却、結露の問題を防止する。
【図面の簡単な説明】
【００１８】
図１は既存の技術における空調室内機の構造を示す図である。
図２は本発明の実施形態の一つにおける空調室内機の構造を示す図である。
図３及び図４は本発明の実施形態の一つにおける空調導風板の制御方法のフローチャートであり、その内、図３は導風板導風角度の制御に関するフローチャートである。
図４は導風板伸長ストロークの制御に関するフローチャートである。
【発明を実施するための形態】
【００１９】
以下、図面を参考にし、かつ実施例と結びつけながら、本発明について詳しく説明する。なお以下の各実施例及び各実施例中の特徴は、内容が相反しない範囲で組み合わせることができる。
【００２０】
図２に示されるのは本発明実施例の一つにおける空調室内機の構造を示す図であり、本実施例における空調はエアダクト式空調であって、その室内機２００は、室内機本体２１０と、室内機本体２１０のエア吹き出し口部位に設置されるエア吹き出し口部品２２０と、を含み、更に室内機本体２１０内に室内ファン２１１が設置され、本実施例における室内ファン２１１は、超強力送風量レベル、高送風量レベル、中送風量レベル、及び、低送風量レベルの四レベルを具備し、これにより回転速度について、より正確な制御が実現される。
【００２１】
前記エア吹き出し口部品２２０は、エア吹き出し枠外枠２２１、エア吹き出し枠外枠２２１内に設置されるエア吹き出し枠内枠２２２、エア吹き出し枠内枠２２２上に設置される数枚の導風板２２３、及び、導風板２２３を駆動し軸の周りを回転させるために用いる第一の駆動装置（図中には未表示）を含み、第一の駆動装置はステッピングモーター及び歯車駆動機構によって構成することができる。
【００２２】
図において、エア吹き出し枠外枠２２１のパネル表面と、導風板２２３風受け面の間に形成される夾角は、導風角度αとされる。
【００２３】
図３に示すのは、本発明の空調導風板２２３の制御方法のフローチャートであり、以下のステップを含む。
ステップＳ１０１：冷却モードの稼働中に、エアスイング動作指令を入力するか否かを判断する。
ステップＳ１０２：エアスイング動作指令が未入力である場合に、制御装置がメモリからユーザーが設定した送風量レベル、ユーザーが設定した温度Ｔ１及び室内環境温度Ｔ２を得る。
【００２４】
制御装置が設定された送風量レベル、設定された温度Ｔ１、及び、室内環境温度Τ２に基づきユーザーの冷却ニーズの大小を判断し、かつ前記ユーザーの冷却ニーズの大小に基づき前記導風板２２３の導風角度αを制御するものであり、具体的なステップは以下の通りである。
ステップＳ１０３：制御装置は設定された送風量レベルが超強力送風量レベルか否かを判断する。
ステップＳ１０４：設定された送風量レベルが超強力送風量レベルである場合は、制御装置はＴ１がＴ２＋ｔ以上か否かを判断する。
ステップＳ１０５：Ｔｌ≧Ｔ２＋ｔである場合は、ユーザーの冷却ニーズが大きいと判断し、制御装置が第一の駆動装置に向けて制御信号を発信し、第一の駆動装置が前記導風板２２３を駆動してその導風角度αがａ０となるようにし、好ましくは、ａ０が９０°に等しくなるようにし、迅速な冷却を行う。
ステップＳ１０６：Ｔｌ＜Ｔ２＋ｔであり、ユーザーの冷却ニーズが小さいと判断する場合は、制御装置が第一の駆動装置に制御信号を発信し、第一の駆動装置が前記導風板２２３を駆動してその導風角度αがａｌとなるようにし、好ましくは、２０°≦ａｌ＜９０°になるようにし、更には、ａｌが２０°に等しくなるようにする。
ステップＳ１０７：設定された送風量レベルが超強力送風量レベルでない場合は、設定された送風量レベルが高送風量レベルか否かを判断する。
ステップＳ１０８：設定された送風量レベルが高送風量レベルである場合は、Ｔ１がＴ２＋ｔ以上か否かを判断する。
ステップＳ１０９：Ｔｌ≧Ｔ２＋ｔである場合は、ユーザーの冷却ニーズが大きいと判断し、制御装置が第一の駆動装置に向けて制御信号を発信し、第一の駆動装置が前記導風板２２３を駆動してその導風角度αがａ２となるようにし、好ましくは、ａ２が９０°に等しくなるようにし、迅速な冷却を行う。
ステップＳ１１０：Ｔｌ＜Ｔ２＋ｔである場合は、ユーザーの冷却ニーズが小さいと判断し、制御装置が第一の駆動装置に向けて制御信号を発信し、第一の駆動装置が前記導風板２２３を駆動してその導風角度αがａ３となるようにし、好ましくは、２５°≦ａ３＜９０°となるようにし、更には、ａ３が２５°に等しくなるようにする。
ステップＳｌｌｌ：設定された送風量レベルが高送風量レベルではなく、ユーザーの冷却ニーズが小さいと判断する場合は、制御装置が第一の駆動装置に向けて制御信号を発信し、第一の駆動装置が前記導風板２２３を駆動してその導風角度αがａ４となるようにし、好ましくは、３０°≦ａ４＜９０°となるようにし、更には、ａ４が３０°と等しくなるようにする。
【００２５】
前記制御プロセスの実施中にスイング動作指令を受信した場合は、上述の制御プロセスを中止し、受信した動作を実行する。
【００２６】
ｔは制御精度によって確定されるものであり、本実施例では、１℃≦ｔ≦３℃、更には、ｔを１℃とすることで、より正確な制御が実現でき、ユーザーにより快適な感覚をもたらす。
【００２７】
また、導風角度が相対的に小さい場合は、エア吹き出し抵抗が大きくなり、かつ冷却モードでは、導風角度が相対的に小さくなることから、冷気流が天井板に付着し、天井を冷却し、空調停止後に、結露を発生させ易い。
【００２８】
該問題を解決するため、エア吹き出し枠内枠２２２をエア吹き出し枠外枠２２１内に伸縮可能に設置し、エア吹き出し口部品２２０は更にエア吹き出し枠内枠２２２の伸縮運動を駆動するために用いる第二の駆動装置を含み、第二の駆動装置はステッピングモーター（図中には未表示）及び歯車とラックの駆動機構（図中には未表示）によって構成することができる。
【００２９】
図４に示す通り、本発明の制御方法は更に以下のステップを含む。
ステップＳ２０１：冷却モードの稼働中に、制御装置はエアスイング動作指令を入力するか否かを判断する。
ステップＳ２０２：エアスイング動作指令が未入力である場合に、制御装置は位置センサーによって導風角度αを検出する。
ステップＳ２０３：導風角度αと設定された導風角度α’を比較し、好ましくは、４０°≦ａ’≦５０°である。
ステップＳ２０４：ａ≧ａ’である場合は、前記導風板２２３を初期位置から外に向かって伸長させるストロークがＸ１となるようにし、好ましくは、０ｍｍ≦Ｘ１≦２０ｍｍとなるようにし、更には、Ｘ１が１０ｍｍ又は２０ｍｍとなるようにする。
【００３０】
ステップＳ２０５：ａ＜ａ’である場合は、前記導風板２２３を初期位置から外に向かって伸長させるストロークがＸ２となるようにし、好ましくは、２０ｍｍ＜Ｘ２≦４０ｍｍとなるようにし、更には、Ｘ１が３０ｍｍ又は４０ｍｍとなるようにする。
【００３１】
前記制御プロセスの実施中にスイング動作指令を受信した場合は、上述の制御プロセスを中止し、エア吹き出しパネルのストロークがスイング前の状態を維持するようにする。
【００３２】
本発明の制御方法は更に導風角度に基づき導風板２２３の伸長ストロークを制御することを含み、導風角度が小さい場合は、伸長させるストロークを長くし、逆の場合は、伸長させるストロークを短くし、エア吹き出しをよりスムーズにするのみならず、更に冷気流の天井板への付着、天井の冷却、結露の問題を防止する。
【００３３】
以上の実施例は本発明の複数の実施例を述べたものに過ぎず、その説明は具体的かつ詳細であるが、これによって本発明の特許の範囲が制限されるわけではない。本分野の一般的な技術者は、本発明の構想から外れないことを前提に、若干の変形及び改良を加えることができ、これらは本発明の保護範囲に含まれるべきである。 
【図１】
2016521839.tif 000003
【図２】
2016521839.tif 000004
【図３】
2016521839.tif 000005
【図４】
2016521839.tif 000006
【国際調査報告】
2016521839.tif 000007
2016521839.tif 000008
2016521839.tif 000009
2016521839.tif 000010
2016521839.tif 000011
2016521839.tif 000012